(57)【要約】【課題】耳かけ式イヤホン調節と位置決め構造の提供。【解決手段】本考案は一種の耳かけ式イヤホン調節と位置決め構造に関わるもので、ケース部と耳かけ部より構成する。ケース部の表面にケース回転軸接続部、耳かけ部の表面に耳かけ回転軸接続部をそれぞれ設ける。ケース回転軸接続部の断面に多辺形の棒状ケース回転軸接続部材を設け、耳かけ回転軸接続部の断面に正多辺形の棒状耳かけ回転軸接続部材を設ける。ケース回転軸接続部材と耳かけ回転軸接続部材を相欠き可撓性回転にし、耳かけ部とケース部の相関位置を調節でき、複数の交互接続側面に十分な保持力量を提供し、耳かけ部とケース部を調節後の使用位置に固定および安定させる。このため、部品数を減らすことができるほか、組立作業の簡素化により、生産コストを降下できる。【選択図】図２
0003117332.tif 000002
【実用新案登録請求の範囲】
【請求項１】
ケース部と耳かけ部を設け、ケース部の表面にケース回転軸接続部を形成し、耳かけ部の一端に耳かけ回転軸接続部を形成する；その特長として、ケース部の断面に正多辺形棒状のケース回転軸接続部材を設け、耳かけ回転軸接続部に多辺形の棒状耳かけ回転軸接続部材を設けて、ケース回転軸接続部材と耳かけ回転軸接続部材を相欠き継ぎ押さえて互いに可撓性回転するを実現することを特徴とする耳かけ式イヤホン調節と位置決め構造。
【請求項２】
そのケース回転軸接続部材の断面は正六辺形の六角棒であり、その耳かけ回転軸接続部材の断面は正六辺形の六角孔である；六角棒の寸法と六角孔の寸法は互いに適合構造であることを特徴とする請求項１の耳かけ式イヤホン調節と位置決め構造。
【請求項３】
そのケース部に真正面があり、その真正面に受話器口を突き出して設け、下部にケース回転軸接続部を設け、ケース回転軸接続部は棒形状左右両端は横方向に引き延ばし、ケース回転軸接続部は左右両端は横方向に引き延ばして突き出す、六角棒を形成し、六角棒縦方向の断面は断面正六辺形構造であることを特徴とする請求項２の耳かけ式イヤホン調節と位置決め構造。
【請求項４】
その耳かけ部は底部で一体化成型によりその耳かけ回転軸接続部を形成し、耳かけ回転軸接続部は両側部分の橋脚部と二つの橋脚部を一体化させた橋トラス部を含まれる；橋脚部内側より橋脚部に向けた横方向に六角孔を設け、六角孔の縦方向断面は六辺形であることを特徴とする請求項２の耳かけ式イヤホン調節と位置決め構造。
【請求項５】
耳かけ部の橋脚部は底部横方向に向けて、一つの可撓性溝を設け、可撓性溝は横方向に橋脚部を貫通し、前述の六角孔に接続して、六角孔の橋脚部を離れている端を閉鎖しておき、可撓性溝前後の幅と六角孔の正六辺形断面の辺長さが一致であることを特徴とする請求項４の耳かけ式イヤホン調節と位置決め構造。
【考案の詳細な説明】
【技術分野】
【０００１】
本考案は耳かけ式イヤホンに関わるもので、特に一種の調節と位置決め構造の耳かけイヤホンである。
【背景技術】
【０００２】
情報、科学技術の発展と進歩により、イヤホンはもはや昔のヘッドホン式イヤホン、耳栓式イヤホンから、今日携帯電話の無線信号を受発信でき、携帯電話のハンズフリー機能を実現した耳かけ式イヤホンとなった。
【０００３】
特許文献１は一種公知耳かけ式イヤホンが開示されている。その耳かけ式イヤホンはケース部と可撓性の耳かけ機構を含まれる。そのうち、ケース部の内部に相欠き空間を設け、耳かけ部の一端に相欠き部材を突き出して設け、相欠き部材は常態または180 度回転して、相欠き空間にかみ合わせることにより、ケース部と耳かけ部を組み合わせて、利用者の左、右耳にその公知の耳かけ式イヤホンの使用要求に応える。
【０００４】
【特許文献１】台湾特許公示第５１９３６３号明細書
【特許文献２】台湾特許公示第４７４５４０号明細書
【特許文献３】中国特許公示第２００３２０１０２１１１．０号明細書
【考案の開示】
【考案が解決しようとする課題】
【０００５】
しかしながら、その公知の耳かけ式イヤホンの耳かけ機構はケース内部に固定されている。使用するとき、耳かけ機構はケースに固着しているため、回転または平行移動ができなく、また、両者間の関係は利用者が耳に引っ掛ける前提に設計されたため、比較的に小さい。よって、利用者は耳に掛けるときまたは耳から取外すときに、耳かけ機構の可撓性を利用し、耳から取外さなければならない。ただし、耳の後部より、引っ掛けると取外すは可能である。このため、利用者はその公知耳かけ式イヤホン取り扱いの困難度を加わっている。このため、一種の耳かけ部とケース部の相関位置を調節でき、利用者が容易に引っ掛けと取外しできる耳かけ式イヤホンによって、前記課題を解決必要がある。
【０００６】
特許文献２は一種公知耳かけ式イヤホンが開示されている。その耳かけ式イヤホンはケース部と可撓性の耳かけ機構を含まれる。そのうち、ケース部側面に複数の等距離の鈍い歯形の滑り孔を設け、耳かけ部の一端に回転接続軸を形成している。回転接続軸はそのうちひとつの滑り孔に接続およびその滑り孔内部で回転させる。さらに、ケース部の弾性により、その滑り孔をもう一つの滑り孔に平行移動させ、耳かけ部とケース部との相関位置を調節する。
【０００７】
しかしながら、その公知の耳かけ式イヤホンは前述公知のイヤホン欠点を克服し耳かけとケースの相関位置を調節できるものの、耳かけ部はケース内部の滑り孔で回転するとき、位置決め構造の制限がないため、自由に回転してしまう欠点が残る。
【０００８】
このため、その公知の耳かけ式イヤホンは利用者の引っ掛けと取外すに便利を提供しているが、引っ掛け状態の耳かけ部とケース部は安定、位置をしっかりに固定できないため、その公知の耳かけ式イヤホンは利用者の耳にしっかり引っ掛けることができない。
【０００９】
特許文献３にも一種の公知の耳かけ式イヤホンに関する調節と位置決め構造が公布されている。その耳かけ式イヤホンはケース部と可撓性の耳かけ機構を含まれる。そのうち、ケース部は受話器口に突き出して設置する表面に接続部を設け、耳かけ部の一端に丸い孔を突き出して設ける。丸い孔内部に回転軸と弾性部材を取付けて、連結部と回転軸接続しておく、これにより、耳かけ部とケース部の相関位置調節を実現する。さらに、その回転軸の外部に接ぎあわせ部を設け、その円孔内部に受入部を設ける。受入部と接ぎあわせ部との組合せにより、回転軸は耳かけ部に対して固定となり、弾性部材の弾性押さえ抑えはケース連結部の両端を回転軸下部と耳かけの上部に押さえて組み合わせる。これにより、耳かけ部はケース部に対して使用位置に回転させ、位置を固定できる。
【００１０】
しかしながら、その公知の耳かけ式イヤホンは耳かけ部、ケース部および回転軸接触面の摩擦力により、位置を固定している。さらに、その摩擦力はその弾性部材の弾性押さえによるため、その力は小さい。よって、引っ掛けている間、耳かけ部に外力を受けたとき、その摩擦力により克服できるが、耳かけ部とケース部はしかっりに調節後の使用位置には固定できない。さらに、その公知耳かけ式イヤホンの位置固定構造に部品が多く、組立作業は煩雑であるため、生産コストは極めて高い。
【００１１】
本考案の目的は、前記の欠点に対して、一種の耳かけ式イヤホン調節と位置決め構造を提供するもので、耳かけ部とケース間の相関位置を調節できる。十分な保持力量を提供し、耳かけ部とケース部は調節後の使用位置にしっかりに固定できるほか、部品点数を減らし、組立を簡素化させ、生産コストを低減できる。
【００１２】
前述の目的を達成するため、本考案はケース部と耳かけ部より構成する一種の耳かけ式イヤホン調節と位置決め構造を提供する。ケース部の表面にケース回転軸接続部、耳かけ部の表面に耳かけ回転軸接続部をそれぞれ設ける。その特長として、ケース回転軸接続部は断面に多辺形の棒状ケース回転軸接続部材を設け、その耳かけ回転接続部は断面に正多辺形の棒状耳かけ回転軸接続部材を設ける。そのケース回転軸接続部材と耳かけ回転軸接続部材は相欠き継ぎにより押さえされ、互いに回転可能である。
【課題を解決するための手段】
【００１３】
請求項１の考案は、ケース部と耳かけ部を設け、ケース部の表面にケース回転軸接続部を形成し、耳かけ部の一端に耳かけ回転軸接続部を形成する；その特長として、ケース部の断面に正多辺形棒状のケース回転軸接続部材を設け、耳かけ回転軸接続部に多辺形の棒状耳かけ回転軸接続部材を設けて、ケース回転軸接続部材と耳かけ回転軸接続部材を相欠き継ぎ押さえて互いに可撓性回転するを実現することを特徴とする耳かけ式イヤホン調節と位置決め構造としている。
請求項２の考案は、そのケース回転軸接続部材の断面は正六辺形の六角棒であり、その耳かけ回転軸接続部材の断面は正六辺形の六角孔である；六角棒の寸法と六角孔の寸法は互いに適合構造であることを特徴とする請求項１の耳かけ式イヤホン調節と位置決め構造としている。
請求項３の考案は、そのケース部に真正面があり、その真正面に受話器口を突き出して設け、下部にケース回転軸接続部を設け、ケース回転軸接続部は棒形状左右両端は横方向に引き延ばし、ケース回転軸接続部は左右両端は横方向に引き延ばして突き出す、六角棒を形成し、六角棒縦方向の断面は断面正六辺形構造であることを特徴とする請求項２の耳かけ式イヤホン調節と位置決め構造としている。
請求項４の考案は、その耳かけ部は底部で一体化成型によりその耳かけ回転軸接続部を形成し、耳かけ回転軸接続部は両側部分の橋脚部と二つの橋脚部を一体化させた橋トラス部を含まれる；橋脚部内側より橋脚部に向けた横方向に六角孔を設け、六角孔の縦方向断面は六辺形であることを特徴とする請求項２の耳かけ式イヤホン調節と位置決め構造としている。
請求項５の考案は、耳かけ部の橋脚部は底部横方向に向けて、一つの可撓性溝を設け、可撓性溝は横方向に橋脚部を貫通し、前述の六角孔に接続して、六角孔の橋脚部を離れている端を閉鎖しておき、可撓性溝前後の幅と六角孔の正六辺形断面の辺長さが一致であることを特徴とする請求項４の耳かけ式イヤホン調節と位置決め構造としている。
【考案の効果】
【００１４】
前述のとおり、本考案はケース部に設ける断面に正多辺形の棒状ケース回転軸接続部材と耳かけ部の断面に設ける正多辺形棒状回転軸接続部材との相欠き継ぎ押さえと相対的に回転させ、両者は押さえ部分の側面に保持力量を提供し、その保持力量は前述の第３の公知技術における、押さえ力により発生する接触摩擦力より遥かに大きいため、耳かけ部とケース部は調節後の使用位置にしっかり、安定して固定できる。この他、本考案は前述の第３の公知技術における弾性部材と回転軸を省いているため、組立作業を簡素化させ、生産コストを低減できる。
【考案を実施するための最良の形態】
【００１５】
本考案の技術内容、構造の特徴、実現の目的およびその効果は、以下のとおり実施例と図式に合わせて詳細説明する。
【００１６】
図１に示すものは、本考案の調節と位置決め構造の耳かけ式イヤホン100であり、ケース部10及び耳かけ部20を包括する。耳かけ部20は可撓性を有し、ケース部10と回転軸接続する。
【００１７】
図２に示すものは、ケース部10は水滴形状で、真正面11を有する。真正面11の上部に受話器口12を設け、下部にケース回転軸接続部13を突き出して接続する。ケース回転軸接続部13は棒形状を左右の横方向に引き延ばし、ケース回転軸接続部13の左右両端は横方向に突き出して引き延ばし、縦方向の断面に正多辺形の棒形状回転軸接続部材を形成する。本実施例において、このケース回転軸部材は正六角形の六角棒１４（左側の六角棒14は示していない。）である。
【００１８】
耳かけ部20は一般利用者の耳型に合わせるため、不規則な円弧状を有する。耳かけ部20の底部に、耳かけ回転軸接続部材21を一体化成型部材を用いる。耳かけ回転軸接続部材21は両側に設ける橋脚部22と二つの橋脚部22を一体化に連結する橋トラス部23を設ける。そのうち、橋脚部22は内側の側面より橋トラス部23へ横方向に断面に正六辺形の六角孔24（右側の六角孔24は示していない。）を設け、断面に多辺形のの耳かけ回転軸接続部材を形成する。橋脚部22の底部に横方向の可撓性溝25を設け、橋脚部22が可撓性溝25両側の部分に可撓性を持たせて、外力により可撓性の変形を発生する。可撓性溝25は横方向に橋脚部22を通過して、六角孔24に連結し、六角孔24の橋脚部23を離れている端を閉鎖する。可撓性溝25前後の幅と六角孔24の正六辺形断面の長さは一致であり、六角孔24の寸法とケース部10の六角棒の寸法に適合し、六角棒14は可撓性により六角孔24内部に相欠き継ぎする。実施するとき、ケース回転軸接続部材を六角孔にし、耳かけ回転軸接続部材もこれに合わせて六角棒を設けるか、またはケース回転軸接続部材と耳かけ回転軸接続部材を対称的に正五辺形、正七辺形またはその他多辺形の棒状部材に設計してもよい。
【００１９】
本考案の調節と位置決め構造の耳かけ式イヤホン100 は組立作業のとき、ケース部10一端の六角棒14を耳かけ部20一端の六角孔24内に相欠き継ぎする。ケース部10の他端に設ける六角棒14を耳かけ部20他端の可撓性溝25に合わせる。そして、外力は耳かけ部20他端の橋脚部22に加わることにより、ケース部10対応端の六角棒14はその橋脚部22の可撓性溝25両側部分を外側に可撓性変形により、開かせる。最後に、両側の六角棒14を対応端の六角孔24に相欠き継ぎ合わせて、六角棒14六つの側面は橋脚部22の六角孔24が所在する内壁面に挿入して、組立作業を完了する。
【００２０】
本考案の調節と位置決め構造の耳かけ式イヤホン100 は使用するとき、耳かけ部20所在する平面とケース部10所在する平面の挟み角は0 度より回転させ、60度、120 度と180 度にそれぞれ固定できる。一つの角度より他の角度に旋回するとき、外力は耳かけ部20に働き、押さえにより貼り合わせ状態の橋脚部22の六つの側面と六角棒14六つの側面に位置ずれが発生する。このとき、橋脚部22の六つの側面は外力回転により六角棒14の六つの対応端に対して可撓性で押さえ始め、六角棒14の対応角を超えた後原状に回復し六角棒14は回転方向に沿って次の側面に対応して押さえて密着し、これにより新しい角度に調節および固定される。
【００２１】
通常、本考案の調節および位置決め構造耳かけ式イヤホン100 は利用者の耳に掛けたとき、耳かけ部20とケース部10間の挟み角0 度である。利用者は引っ掛けて使用するとき、耳かけ部20とケース部10との間の挟み角を60度に調節しておく、引っ掛けた後、両者の挟み角を0 に調節および固定できる。この他、利用者は本考案の調節および位置決め構造耳かけ式イヤホン100 を他の耳に引っ掛けるとき、耳かけ部20の可撓性設計により、耳かけ部20をケース部10より取外しておき、180 度回転した上ケース部10に取付け直すことにより、他の耳に引っ掛けることができる。
【００２２】
以上に説明したとおり、本考案はケース部10断面に多辺形の棒状ケース回転軸接続部材と耳かけ部20断面に設ける正多辺形棒状の耳かけ回転軸接続部材との相欠き継ぎ押さえと可撓性回転により、耳かけ部20とケース部10相関位置の調節と位置固定を実現できる。前記第３の先行技術における調節と位置決め構造の耳かけ式イヤホンに比べて、本考案は複数箇所押さえにより、側面の密着力は公知技術の接触摩擦力より遥かに大きいため、十分な保持力量を提供し、耳かけ部20とケース部10を安定させ、調節後の使用位置に固定できる。さらに、本考案は前述の第３の公知技術における弾性部材と回転軸を省いているため、組立作業を簡素化させ、生産コストを低減できる。
【図面の簡単な説明】
【００２３】
【図１】本考案の調節と位置決め構造における耳かけ式イヤホンの立体組立図である。
【図２】本考案の調節と位置決め構造における耳かけ式イヤホンの立体分解図である。
【符号の説明】
【００２４】
１００  耳かけ式イヤホン
１０  ケース部
１１  真正面
１２  受話器口
１３  ケース回転軸接続部
１４  六角棒
２０  耳かけ部
２１  耳かけ回転軸接続部
２２  橋脚部
２３  橋トラス部
２４  六角孔
２５  可撓性溝
【図１】
0003117332.tif 000003
【図２】
0003117332.tif 000004